(57)【要約】【課題】従来の水質計器は一旦設置されるとその場に固定されるため、複数の測定ポイントの水質を測定するためには、複数台の水質計器を用意する必要があった。また、測定ポイントを変更するために水質計器を移設することは容易ではなかった。【解決手段】水質を検知するセンサ部２と、このセンサ部を昇降させる昇降装置４と、この昇降装置を支持する支持部材５と、この支持部材に設けられ該支持部材を横方向に移動し得る移動機構７とを備えるように構成した。【選択図】図１
2009288205.tif 000002
【特許請求の範囲】
【請求項１】
水質を検知するセンサ部と、このセンサ部を上下させる昇降装置と、この昇降装置を支持する支持部材と、この支持部材に設けられ該支持部材を水平方向に移動させ得る移動機構とを備えたことを特徴とする水質検知装置。
【請求項２】
上記移動機構は、キャスターを用いたものであることを特徴とする請求項１に記載の水質検知装置。
【請求項３】
上記移動機構は、複数の水質の測定ポイント間に敷設されたレールに係合して移動可能な車輪を用いたものであることを特徴とする請求項１に記載の水質検知装置。
【請求項４】
上記移動機構は、被測定水の水面の上方部に架設されたガイド部材と、このガイド部材に対して上記支持部材を該ガイド部材に沿って移動可能に係合する係合手段を用いてなることを特徴とする請求項１または請求項３に記載の水質検知装置。
【請求項５】
被測定水の両側部に沿って平行に設けられたガイド用の複数のレールと、これら複数のレール上をそれぞれ移動し得る車輪が設けられた第１及び第２の基部を備え、上記ガイド部材の両端部は、これら第１及び第２の基部に対してそれぞれ固定されていることを特徴とする請求項４に記載の水質検知装置。
【発明の詳細な説明】
【技術分野】
【０００１】
この発明は、例えば浄水場、下水処理場等の上下水道プラントなどにおいて上下水処理池に浸漬して水質を測定する場合などに好ましく用いられる水質検知装置に関する。
【背景技術】
【０００２】
従来の水質検知装置として、保護管の先端に収納された形態で上下水道処理池に浸漬してＰＨや溶存酸素量を検出する落とし込み式のセンサにおいて、検出器を保護する保護管を挟み込んで保持するローラーと、該ローラーを回転駆動して上記保護管を昇降移動させるローラー駆動機構とを備えた水質計器がある（例えば、特許文献１参照）。
【０００３】
【特許文献１】特開２００３−７５４３０号公報（第６頁、図１）
【発明の開示】
【発明が解決しようとする課題】
【０００４】
上記のような従来の水質検知装置は、一旦設置されるとその設置場所に固定されるため、複数の測定ポイントの水質を測定するためには、複数台の水質計器を用意する必要があった。また、測定ポイントを変更するために水質計器を移設することは容易ではないという課題があった。
【０００５】
この発明は上記のような従来技術の課題を解決するためになされたものであり、複数の測定ポイントでの水質測定を容易に行うことができる水質検知装置を提供することを目的としている。
【課題を解決するための手段】
【０００６】
この発明に係る水質検知装置は、水質を検知するセンサ部と、このセンサ部を上下させる昇降装置と、この昇降装置を支持する支持部材と、この支持部材に設けられ該支持部材を水平方向に移動させ得る移動機構とを備えるようにしたものである。
【発明の効果】
【０００７】
この発明においては、センサ部を上下させる昇降装置の支持部材を水平方向に移動させ得る移動機構を備えるようにしたので、一つの装置で複数の測定ポイントでの水質測定が容易となる。
【発明を実施するための最良の形態】
【０００８】
実施の形態１．
図１及び図２はこの発明の実施の形態１に係る水質検知装置を説明する図であり、図１は斜視図、図２は図１に示されたセンサ部の昇降装置の構造を模式的に示す正面図である。図において、水質検知装置１は、水中に浸漬して例えば濁度、ＰＨ、溶存酸素量、ＢＯＤなどの水質を検知するセンサ部２と、このセンサ部２を保持すると共に信号ケーブル２ａを保護する保護管３と、保護管３を上下させることでセンサ部２を上下させる昇降装置４と、センサ部２及び昇降装置４を含む各部材を支持する支持部材５と、センサ部２によって検知された信号を伝送する信号ケーブル２ａを介してセンサ部２に接続され、センサ部２の検知信号を変換して図示省略している制御盤等に伝送する変換器６と、支持部材５を水平方向に移動させ得る移動機構７などから構成されている。なお、変換器６などに必要な電力は電源ケーブル６ａにより供給される。
【０００９】
支持部材５は、互いに９０°の角度をなすように４方向に水平に張り出された４本の足からなる基部５１と、この基部５１の中心部から鉛直方向に立設され、上端部で上記変換器６を保持している支柱５２と、一端部がこの支柱５２に固定され他端部が上記昇降装置４を保持するように設けられた昇降装置保持部材５３からなっている。そして、移動機構７は測定ポイントを変更するときに水質検知装置１を自由に移動させるためのものであり、この例では基部５１の各突出端部下側に設けられたキャスターなどの４つの車輪７１と、車輪７１を固定し得る安全装置７１ａからなり、安全装置７１ａを解除することにより、自由に移動させることができる。
【００１０】
昇降装置４は図２に示すように、駆動ローラー部４１と、可動ローラー部４２と、可動ローラー部４２を駆動ローラー部４１に連結すると共に可動ローラー部４２を駆動ローラー部４１に押し付ける機能を有する複数の取付金具４３からなる。駆動ローラー部４１は、固定フレーム４１ａに設けられた軸受４１ｂに回転自在に支持された上下一対の駆動ローラー４１ｃと、ハンドル４ａからの動力を駆動ローラー４１ｃに伝達する歯車４１ｄで構成されている。可動ローラー部４２は、固定フレーム４１ａに対して離間された可動フレーム４２ａに設けられた軸受４２ｂと、軸受４２ｂに回転自在に支持され保護管３を駆動ローラー４１ｃとの間で挟み込んで保持し駆動ローラー４１ｃからの動力を受けて回転する上下一対の可動ローラー４２ｃと、可動フレーム４２ａの上下部に突出され後述する保持軸４３ａを挿通する係止部４２ｄを有する箱体構造である。
【００１１】
取付金具４３は、一端部が固定フレーム４１ａに固定され、中央部で係止部４２ｄに挿通された後、他端部が可動フレーム４２ａより図の左方向に伸び、その先端部におねじが設けられた保持軸４３ａと、この保持軸４３ａにおける係止部４２ｄが挿通された部分より先端部側に装着された付勢ばね４３ｂと、保持軸４３ａのおねじに螺合され、付勢ばね４３ｂを介して係止部４２ｄを固定フレーム４１ａ側に付勢した状態で固定される二重ナット４３ｃからなる。なお、取付金具４３は、上下に２箇所ずつ合計４か所に設けられており、二重ナット４３ｃは、保護管３に対する所要の挟着力を発生し、かつ保護管３の太さに対応したローラー軸間距離の調整機能を持っている。また、昇降装置４は、定期的なメンテナンスの際、及び測定ポイントを変更するときなどに使用するもので、ハンドル４ａを矢印Ａのように回転させることで保護管３を上昇または下降させる。なお、センサ部２の種類、水質の測定方式等、その他の構成は例えば公知のものを特別な制限なく適宜選択して用いることができるものであるので説明を省略する。
【００１２】
次に動作について説明する。測定ポイントを変える際は、まずハンドル４ａを図１において反時計方向に回転させ、保護管３を上方に移動させることで保護管３に固定されたセンサ部２を図１に示すように床面よりも高い位置に移動させる。次に、移動機構７に設けられた安全装置７１ａを解除し、移設したい位置まで移動させ、安全装置７１ａを固定する。そして、ハンドル４ａを上げるときとは逆向きに回転させてセンサ部２を被測定水（図示省略）中に浸漬させて水質を測定する。
この実施の形態１によれば、移動機構７の具備により、複数の測定ポイントでの水質測定が容易となり、例えば順番に複数の上下水処理池の水質を測定する場合や１つの上下水道処理池において測定ポイントの変更が必要な場合等に、容易に一人作業で測定ポイントを変更することができるなどの効果が得られる。
【００１３】
実施の形態２．
図３はこの発明の実施の形態２に係る水質検知装置を模式的に示す斜視図である。なお、各実施の形態を通じて同一または相当部分には同一符号を付しその説明を省略する。図において、基部５１は四角状に形成された架台からなり、移動機構７は、この基部５１の底部４隅に回転自在に設けられたフランジ付の４つの車輪７２からなる。一方、図示省略している複数の測定ポイント間には水質検知装置１の４つの車輪７２を受ける平行な２本のレール７０が縦横に敷設されており、上記フランジ付の車輪は該レール７０に係合して滑らかに移動できる。その他の構成は実施の形態１と同様である。
上記のように構成された実施の形態２においては、水質検知装置１を測定ポイント間で移動させるときにレール７０上を押して行けばよく、軽い操作力で移動できる。また、レール７０上を移動させるので傾くことも少なく基部５１の設置面積を小さくできるため、例えば複数の上下水処理池間の通路が狭い場合などでも好適に用いることができる。
【００１４】
実施の形態３．
図４はこの発明の実施の形態３に係る水質検知装置を模式的に示す斜視図である。図において、移動機構７は、基部５１の下部に設けられた車輪７２と、この車輪７２を回転させるためのモータ７３からなり、モータ７３は電源へ接続された電源ケーブル７３ａにより電源供給を受け、スイッチ７３ｂによって前進後進両方向の起動または停止されることにより、水質検知装置１をレール７０上で移動または停止させることができるように構成されている。なお、モータ７３を駆動する電源は例えば充電式のバッテリーなどでも良く、その場合は基部５１上にバッテリーを取外し可能に固定し、あるいはバッテリーと充電器を固定しても良い。また、スイッチ７３ｂは電源ケーブル７３ａの手元側に設け、あるいは赤外線などを用いたリモコン式にしても良い。その他の構成は実施の形態２と同様である。上記のような構成の実施の形態３では人力によることなく短時間で安全に水質検知装置１の移設作業を行うことができる。
【００１５】
実施の形態４．
図５及び図６は、この発明の実施の形態４に係る水質検知装置を説明する図であり、図５は全体構成を模式的に示す斜視図、図６は図５に示された移動機構の要部を模式的に示す斜視図である。図において、上下水処理池８は並設された第１の槽８１と第２の槽８２からなり、上下水処理池８の両側部の縁部８ａ、８ｂには上下水処理池８に沿ってガイド用の各２本のレール７０Ａ、７０Ｂが平行に敷設されている。水質検知装置１を構成する基部は図の右側の第１の基部５１Ａと左側の第２の基部５１Ｂに分割され、これら第１及び第２の基部５１Ａ、５１Ｂにそれぞれ支柱５２Ａ、５２Ｂが立設されている。そして、２本の支柱５２Ａ、５２Ｂ相互に跨って、上下２本のビームからなる昇降装置保持部材５３が平行に架設され、各昇降装置保持部材５３にはそれぞれ２本のガイド部材としてのガイドレール７４（図６に図示。図５では図示省略）が設けられている。
【００１６】
図６に示すように上記ガイドレール７４には、該ガイドレール７４に沿って移動可能に係合する係合手段としての移動車７５が上下左右計４つ（図６では図の左側の２つが図示されている）設けられており、昇降装置４の取付ベース４０はその移動車７５を支承している固定具７６に取り付けられ、昇降装置保持部材５３に対して図の左右方向に移動自在に係止されている。上下２本の昇降装置保持部材５３の各左右両端部近傍には合計４つのプーリ７７が回転自在に取り付けられている。そして、プーリ７７の少なくとも１つ（この例では右上）には、当該プーリを回転させるためのハンドル７７ａが取り付けられている。
【００１７】
さらに、一端が昇降装置４の取付ベース４０に固定されこれら４つのプーリ７７に右回りまたは左回りにループ状に順次巻き掛けられた後、他端が取付ベース４０に固定された駆動ワイヤ７８が備えられ、ハンドル７７ａを左または右に回転させることで、昇降装置４が図の左右方向の任意の位置に移動できるように構成されている。また、第１及び第２の基部５１Ａ、５１Ｂにはレール７０Ａ、７０Ｂ上を前後に移動する車輪７２がそれぞれ設けられている。この実施の形態４は、移動機構７を上記車輪７２、ガイドレール７４、移動車７５、固定具７６、プーリ７７、ハンドル７７ａ、及び駆動ワイヤ７８によって構成したものである。その他の構成は実施の形態１と同様である。
【００１８】
上記のように構成された実施の形態４においては、測定ポイントを変える際に、まず昇降装置４のハンドル４ａを回転させ、保護管３に固定されたセンサ部２を床面よりも高い位置に移動させる。次に、移動機構７を構成するハンドル７７ａを回し、センサ部２、保護管３、及び昇降装置４を移設したい位置まで左右に移動させる。更にレール７０Ａ、７０Ｂに沿って基部５１Ａ、５１Ｂを前後に移動させ、ハンドル４ａを回転させて被測定水８１ａまたは８２ａに浸漬した後、測定を行う。なお、ハンドル４ａを電動式にすることで被測定水８１ａ、８２ａ部分のスパンが広い場合でもセンサ部２の上下動に容易に対応できる。
この実施の形態では、センサ部２の前後左右への移動が容易に行えるので、複数の上下水処理池の全域に渡って測定ポイントの変更を容易に行うことができる。
【００１９】
実施の形態５．
図７はこの発明の実施の形態５に係る水質検知装置を模式的に示す斜視図である。この実施の形態５は、実施の形態４における移動機構７を構成するハンドル７７ａ、及び基部５１Ａの車輪７２の駆動源を電動式としたものである。図において、基部５１Ａに取り付けられたモータ７３は、電源ケーブル７３ａにより電源へ接続されており、スイッチ７３ｂによりモータ７３を起動または停止して、基部５１Ａをレール７０上で移動または停止させることができる。また、昇降装置保持部材５３Ａの右端部に固定されたモータ７９は、電源へ電源ケーブル７９ａにより接続されており、スイッチ７０ｂの操作によりモータ７９を駆動して、出力軸に取り付けられたプーリ（何れも図示省略）に巻き掛けられた駆動ワイヤ７８を移動させることにより、センサ部２を上下させる昇降装置４を左右に動かすことができる。その他の構成は実施の形態４と同様であるので説明を省略する。
【００２０】
上記のように構成された実施の形態５では人力によることなく短時間で安全に水質検知装置１の移設作業を行うことができる。なお、モータ７３は第１の基部５１Ａ側に設けたが、第２の基部５１Ｂ側に設け、あるいは第１、第２の基部５１Ａ、５１Ｂの双方に設けても良い。
なお、上記実施の形態１〜５で説明した水質検知装置は具体例の一部に過ぎず、種々の変形や変更が可能であることは言うまでもない。例えば、センサ部２を昇降させるための昇降装置４の構成や昇降方式、昇降装置４を支持する支持部材５の形状や支持方式、支持部材５に設けられた移動機構７の構成など、何れも実施の形態１〜５で例示したものに限定されないことは当然である。
【図面の簡単な説明】
【００２１】
【図１】この発明の実施の形態１に係る水質検知装置を示す斜視図。
【図２】図１に示されたセンサ部の昇降装置の構造を模式的に示す正面図。
【図３】この発明の実施の形態２に係る水質検知装置を模式的に示す斜視図。
【図４】この発明の実施の形態３に係る水質検知装置を模式的に示す斜視図。
【図５】この発明の実施の形態４に係る水質検知装置の全体構成を模式的に示す斜視図。
【図６】図５に示された移動機構の要部を模式的に示す斜視図。
【図７】この発明の実施の形態５に係る水質検知装置を模式的に示す斜視図。
【符号の説明】
【００２２】
１  水質検知装置、  ２  センサ部、  ２ａ  信号ケーブル、  ３  保護管、  ４  昇降装置、  ４ａ  ハンドル、  ４０  取付ベース、  ４１  駆動ローラー部、  ４１ａ  固定フレーム、  ４１ｂ  軸受、  ４１ｃ  駆動ローラー、  ４１ｄ  歯車、  ４２  可動ローラー部、  ４２ａ  可動フレーム、  ４２ｂ  軸受、  ４２ｃ  可動ローラー、  ４２ｄ  係止部、  ４３  取付金具、  ４３ａ  保持軸、  ４３ｂ  付勢ばね、  ４３ｃ  二重ナット、  ５  支持部材、  ５１  基部、  ５１Ａ  第１の基部、  ５１Ｂ  第２の基部、  ５２、５２Ａ、５２Ｂ  支柱、  ５３  昇降装置保持部材、  ６  変換器、  ６ａ  電源ケーブル、  ７  移動機構、  ７０、７０Ａ、７０Ｂ  レール、  ７１  車輪（キャスター）、  ７１ａ  安全装置、  ７２  車輪、  ７３  モータ、  ７３ａ  電源ケーブル、  ７３ｂ  スイッチ、  ７４  ガイドレール（ガイド部材）、  ７５  移動車（係合手段）、  ７６  固定具、  ７７  プーリ、  ７７ａ  ハンドル、  ７８  駆動ワイヤ、  ７９  モータ、  ７９ａ  電源ケーブル、  ８  上下水処理池、  ８ａ、８ｂ  縁部、  ８１  第１の槽、  ８１ａ、８２ａ  被測定水、  ８２  第２の槽。
【図１】
2009288205.tif 000003
【図２】
2009288205.tif 000004
【図３】
2009288205.tif 000005
【図４】
2009288205.tif 000006
【図５】
2009288205.tif 000007
【図６】
2009288205.tif 000008
【図７】
2009288205.tif 000009